【事件の表示】
　特許第３０３９３５３号「電動ポット」の請求項１、２に係る特許に対する特許異議の申立てについて、次のとおり決定する。
【結　論】
　訂正を認める。
　特許第３０３９３５３号の請求項１、２に係る特許を維持する。
【理　由】
１．手続の経緯
　特許第３０３９３５３号（以下「本件特許」という。）についての出願は、平成２年１０月３日に出願された実用新案登録出願である実願平２−１０４７７８号の一部を、平成８年２月５日に実願平８−３３３号として分割し、さらに特願平８−１８９２５号として特許出願に変更したものであって、平成１２年３月３日に設定登録されたが、その後、四宮唯泰より特許異議申立がなされ、取消理由が通知がされた後、平成１３年７月２４日付けで訂正請求がなされ、再度取消理由が通知され、この訂正請求を取り下げた後、平成１４年５月１０日付けで再度訂正請求がなされたものである。
　
２．訂正の適否についての判断
（１）本件訂正請求は、以下の事項について訂正するものである。     
（ア）特許請求の範囲請求項１の
「電動ポンプの駆動によって導出路を通じ内容液を導出するようにした電動ポットにおいて、導出路の途中に押し下げ操作で開かれる常閉の弁と、器体の上面に押し下げ操作できるように設けられ、この押し下げ操作によって前記弁の上方に延びる弁棒を介し前記弁を開き操作する押し釦と、押し釦の押し下げに連動して前記弁が開いたときにオン操作され、前記弁が閉じるとオフ状態とされるポンプ駆動スイッチとを備えたことを特徴とする電動ポット。」を、
「電動ポンプの駆動によって導出路を通じ内容液を導出するようにした電動ポットにおいて、導出路の途中にて押し下げ操作で開かれる常閉の弁と、器体の肩部に形成した嘴状突出部の上面に押し下げ操作できるように設けられ、この押し下げ操作によって前記弁の上方に延びる弁棒を介し前記弁を開き操作するとともに押し下げ度合いに応じて開度調節する押し釦と、押し釦の押し下げにばねおよびレバーによって連動して前記弁が開いている間押し釦にオン操作され、前記弁が閉じるとオフ状態とされるポンプ駆動スイッチとを備え、前記常閉の弁およびポンプ駆動スイッチは前記肩部を含む嘴状突出部内に位置し、前記電動ポンプは導出路の前記弁よりも導出方向上流側の途中に位置することを特徴とする電動ポット。」と訂正する。
（イ）特許請求の範囲請求項２の
「導出路の前記弁による開閉部分よりも導出方向上流側にて分岐し導出内容液を器体に戻すバイパス路を設けた請求項１に記載の電動ポット。」を、
「導出路の前記弁による開閉部分よりも導出方向上流側で前記電動ポンプまでの位置にて分岐し導出内容液を器体に戻すバイパス路を設けた請求項１に記載の電動ポット。」と訂正する。
（ウ）発明の詳細な説明の段落【００１２】の、
「【課題を解決するための手段】
　請求項１の発明は、上記の目的を達成するために、電動ポンプの駆動によって導出路を通じ内容液を導出するようにした電動ポットにおいて、導出路の途中に押し下げ操作で開かれる常閉の弁と、器体の上面に押し下げ操作できるように設けられ、この押し下げ操作によって前記弁の上方に延びる弁棒を介し前記弁を開き操作する押し釦と、押し釦の押し下げに連動して前記弁が開いたときにオン操作され、前記弁が閉じるとオフ状態とされるポンプ駆動スイッチとを備えたことを特徴とするものである。」を、
「【課題を解決するための手段】
　請求項１の発明は、上記の目的を達成するために、電動ポンプの駆動によって導出路を通じ内容液を導出するようにした電動ポットにおいて、導出路の途中にて押し下げ操作で開かれる常閉の弁と、器体の肩部に形成した嘴状突出部の上面に押し下げ操作できるように設けられ、この押し下げ操作によって前記弁の上方に延びる弁棒を介し前記弁を開き操作するとともに押し下げ度合いに応じて開度調節する押し釦と、押し釦の押し下げにばねおよびレバーによって連動して前記弁が開いている間押し釦にオン操作され、前記弁が閉じるとオフ状態とされるポンプ駆動スイッチとを備え、前記常閉の弁およびポンプ駆動スイッチは前記肩部を含む嘴状突出部内に位置し、前記電動ポンプは導出路の前記弁よりも導出方向上流側の途中に位置することを特徴とするものである。」と訂正する。
（エ）発明の詳細な説明の段落【００１３】の
「このような構成では、導出路が常閉の弁によって常時閉じられており、不使用時にポットが転倒しても、内容液が導出路を通じて流出するようなことが確実に防止される。また、押し釦は器体の上面にあって、視認しやすく、かつ器体を不安定にすることなしに容易に押し下げ操作され、しかも、この押し下げ操作で前記弁をその上方へ延びる弁棒を介した同じ方向の動きをするものどうしの動作伝達によって、こじれなどなく、かつ、器体への導出路の配置構造による操作釦と弁との距離の違いに対応して、容易に開き操作し、また弁の開操作に連動してポンプ駆動スイッチをオン操作して内容液が導出されるようにすることができる上、」を、
「このような構成では、導出路が常閉の弁によって常時閉じられており、不使用時にポットが転倒しても、内容液が導出路を通じて流出するようなことが確実に防止される。また、押し釦は器体の肩部の嘴状突出部の上面にあって、視認しやすく、かつ器体を不安定にすることなしに容易に押し下げ操作され、しかも、この押し下げ操作で前記肩部を含む嘴状突出部内に位置する弁をその上方へ延びる弁棒を介した同じ方向の動きをするものどうしの動作伝達によって、こじれなどなく、かつ、器体への導出路の配置構造による操作釦と弁との距離の違いに対応して、容易に開き操作し、また弁の開操作に連動して前記肩部を含む嘴状突出部内にあるポンプ駆動スイッチをオン操作して内容液が導出路の前記弁よりも導出方向上流側の途中にある電動ポンプによって導出されるようにすることができる上、」と訂正する。
（オ）発明の詳細な説明の段落【００１５】の
「導出方向上流側にて分岐し」を、「導出方向上流側で前記電動ポンプまでの位置にて分岐し」と訂正する。
（カ）発明の詳細な説明の段落【００１６】の
「開閉部分の上流側で分岐」を、「開閉部分の上流側で前記電動ポンプまでの位置にて分岐」と訂正する。
（キ）発明の詳細な説明の段落【００２２】の
「内容液導出方向下流側」を、「内容液導出方向上流側」と訂正する。
（ク）発明の詳細な説明の段落【００３１】の
「開閉部分の上流側で分岐」を、「開閉部分の上流側で前記電動ポンプまでの位置にて分岐」と訂正する。
（ケ）発明の詳細な説明の段落【００３６】の
「請求項１の発明によれば、導出路が常閉の弁によって常時閉じられており、不使用時にポットが転倒しても、内容液が導出路を通じて流出するようなことが確実に防止される。また、押し釦は器体の上面にあって、視認しやすく、かつ器体を不安定にすることなしに容易に押し下げ操作され、しかも、この押し下げ操作で前記弁をその上方へ延びる弁棒を介した同じ方向の動きをするものどうしの動作伝達によって、こじれなどなく、かつ、器体への導出路の配置構造による操作釦と弁との距離の違いに対応して、容易に開き操作し、また弁の開操作に連動してポンプ駆動スイッチをオン操作して内容液が導出されるようにすることができる上、」を、
「請求項１の発明によれば、導出路が常閉の弁によって常時閉じられており、不使用時にポットが転倒しても、内容液が導出路を通じて流出するようなことが確実に防止される。また、押し釦は器体の肩部の嘴状突出部の上面にあって、視認しやすく、かつ器体を不安定にすることなしに容易に押し下げ操作され、しかも、この押し下げ操作で前記肩部を含む嘴状突出部内に位置する弁をその上方へ延びる弁棒を介した同じ方向の動きをするものどうしの動作伝達によって、こじれなどなく、かつ、器体への導出路の配置構造による操作釦と弁との距離の違いに対応して、容易に開き操作し、また弁の開操作に連動して前記肩部を含む嘴状突出部内にあるポンプ駆動スイッチをオン操作して内容液が導出路の前記弁よりも導出方向上流側の途中にある電動ポンプによって導出されるようにすることができる上、」と訂正する。
（コ）発明の詳細な説明の段落【００３８】の
「導出方向上流側にて分岐し」を、
「導出方向上流側で前記電動ポンプまでの位置にて分岐し」と訂正する。
　
（２）そこで、上記訂正事項について検討する。
　訂正事項（ア）は、「押し釦」について配置位置が「肩部に形成した嘴状突出部」で、機能として「押し下げ度合いに応じて開度調節」するものであることを限定し、「ポンプ駆動スイッチ」について「ばねおよびレバーによって」連動し、弁が「開いている間押し釦に」よってオン操作されるものであることを限定し、「電動ポンプ」についてその配置位置を限定するように訂正したもので、特許請求の範囲の減縮を目的としたものである。
　訂正事項（イ）は、「バイパス路」について「電動ポンプまでの位置にて分岐」するものであることを限定するもので、特許請求の範囲の減縮を目的としたものである。
　訂正事項（ウ）乃至（カ），（ク）乃至（コ）は、特許請求の範囲の訂正に伴い、その記載にあわせるために発明の詳細な説明を訂正したもので、明瞭でない記載の釈明を目的とするものである。
　訂正事項（キ）は、「内容液導出方向上流側」とするべきところを「内容液導出方向下流側」と記載していたものを訂正するもので、誤記の訂正を目的としたものである。
　
　訂正事項（ア）について、「肩部に形成した嘴状突出部」との事項は、特許明細書の段落【００１７】に「肩部材８の嘴状突出部９の内側に」と記載され、「押し下げ度合いに応じて開度調節」との事項は、特許明細書の段落【００１９】に「押し釦１８の押し下げ度合いに応じた量だけ」と記載され、「ばねおよびレバーによって」との事項は、特許明細書の段落【００２０】に「押し釦１８が下動されると、この下動に操作レバー２２がバネ２４の付勢によって同動し、押し釦１８の下動初期にスイッチ２５を押動して駆動させ、」と記載され、「開いている間押し釦に」との事項は、特許明細書の段落【００２４】に「特に押し釦１８をさらに押し下げていくと、操作レバー２２によるスイッチ２５のオン状態を保ちつつ、」と記載されており、願書に添付した明細書又は図面に記載した事項の範囲内においてなされ、また、訂正事項（イ）の「電動ポンプまでの位置にて分岐」との事項、及び訂正事項（キ）の「内容液導出方向上流側」との事項は、特許明細書の段落【００１８】に「導出路７の内容器２よりも下位となっている部分に電動ポンプ１４が設けられ、導出路７に流入する内容液を導出路７を通じて導出する。導出路７の吐出口１１よりも少し上流側に弁室１６を設けてこれに弁１５を収容している。」と、同じく段落【００３８】に「導出路の前記弁による開閉部分の上流側で分岐しているバイパス路」と記載されており、願書に添付した明細書又は図面に記載した事項の範囲内においてなされたものであり、さらに訂正事項（ウ）乃至（カ），（ク）乃至（コ）も、願書に添付した明細書又は図面に記載した事項の範囲内においてなされたものである。
　そして、訂正事項（ア）乃至（コ）は、実質上特許請求の範囲を拡張し、又は変更するものでない。
                                                  
（３）以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
（１）特許異議申立人四宮唯泰は、甲第１号証（実願昭５５−８１１９１号（実開昭５７−５１２０号）のマイクロフィルム）を提出して、請求項１に係る特許は、特許法第２９条第１項第３号に違反してなされたものであり、さらに甲第２号証（実願昭６３−４７１５５号（実開平１−１４９７４５号）のマイクロフィルム）、甲第３号証（特開平１−１１０３１８号公報）、甲第４号証（特開平２−１１１３２８号公報）を提出して、請求項２に係る特許は、特許法第２９条第２項に違反してなされたものであると主張している。
　
（２）本件特許の請求項１及び２に係る発明（以下「本件第１発明及び本件第２発明」という。）は、訂正明細書の特許請求の範囲の請求項１及び２に記載されたとおりのものと認める。（上記２．（１）（ア），（イ））  
　
（３）当審が平成１４年２月２７日付けで通知した取消しの理由に引用された、実願昭５５−８１１９１号（実開昭５７−５１２０号）のマイクロフィルム（以下「刊行物１」という。）には、「電動ポンプ（電動の内容液注出ポンプ９）の駆動によって内容液注出路５を通じ内容液を導出するようにした電動注出式ポットにおいて、内容液注出路５の途中に押し下げ操作で開かれる常閉の弁１６と、栓蓋１０の上面に押し下げ操作できるように設けられ、この押し下げ操作によって前記弁１６の上方に延びる弁棒１６ｃを介し前記弁１６を開き操作する上端操作部２０ｂと、上端操作部２０ｂの押し下げに連動してオンオフ操作されるスイッチ１９とを備えた電動注出式ポット。」の発明が記載されていると認められるものの、スイッチのオンオフ操作時期と弁の開閉操作時期について、刊行物１の実施例として示された第１図に開示されているものは、スイッチの受動子１９ａと操作片２０ａの間にストロークがあり、スイッチがオンされる前に弁１６ｂが開操作されるものであるから、本件第１発明及び本件第２発明の「押し釦の押し下げにばねおよびレバーによって連動して弁が開いている間押し釦にオン操作され、前記弁が閉じるとオフ状態とされるポンプ駆動スイッチ」に係る構成は、刊行物１に記載されておらず、また、この構成は、特許異議申立人が提出した証拠のいずれにも記載されていない。
　そして、この構成により、ポンプ駆動スイッチのオン状態を無理なく保ったまま、押し釦を押し下げる深さの度合いを増していくことができ、流量を少量から多量まで使用者の思い通りに調節しやすいものとすることができるという効果を奏するものである。
　したがって、本件第１発明及び本件第２発明は、特許異議申立人が提出した証拠に記載された発明ではなく、また、これらに記載された発明に基づいて当業者が容易に発明することができたものではない。
　　
４．むすび
　以上のとおりであるから、特許異議の申立ての理由によっては、本件第１発明及び本件第２発明についての特許を取り消すことはできない。
　また、他に本件第１発明及び本件第２発明についての特許を取り消すべき理由を発見しない。
　したがって、本件第１発明及び本件第２発明についての特許は、拒絶の査定をしなければならない特許出願にされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。  
【異議決定日】
平成１４年７月１５日（２００２．７．１５）
【訂正の要旨】
（ア）特許請求の範囲請求項１の
「電動ポンプの駆動によって導出路を通じ内容液を導出するようにした電動ポットにおいて、導出路の途中に押し下げ操作で開かれる常閉の弁と、器体の上面に押し下げ操作できるように設けられ、この押し下げ操作によって前記弁の上方に延びる弁棒を介し前記弁を開き操作する押し釦と、押し釦の押し下げに連動して前記弁が開いたときにオン操作され、前記弁が閉じるとオフ状態とされるポンプ駆動スイッチとを備えたことを特徴とする電動ポット。」を、
「電動ポンプの駆動によって導出路を通じ内容液を導出するようにした電動ポットにおいて、導出路の途中にて押し下げ操作で開かれる常閉の弁と、器体の肩部に形成した嘴状突出部の上面に押し下げ操作できるように設けられ、この押し下げ操作によって前記弁の上方に延びる弁棒を介し前記弁を開き操作するとともに押し下げ度合いに応じて開度調節する押し釦と、押し釦の押し下げにばねおよびレバーによって連動して前記弁が開いている間押し釦にオン操作され、前記弁が閉じるとオフ状態とされるポンプ駆動スイッチとを備え、前記常閉の弁およびポンプ駆動スイッチは前記肩部を含む嘴状突出部内に位置し、前記電動ポンプは導出路の前記弁よりも導出方向上流側の途中に位置することを特徴とする電動ポット。」と訂正する。
（イ）特許請求の範囲請求項２の
「導出路の前記弁による開閉部分よりも導出方向上流側にて分岐し導出内容液を器体に戻すバイパス路を設けた請求項１に記載の電動ポット。」を、
「導出路の前記弁による開閉部分よりも導出方向上流側で前記電動ポンプまでの位置にて分岐し導出内容液を器体に戻すバイパス路を設けた請求項１に記載の電動ポット。」と訂正する。
（ウ）発明の詳細な説明の段落【００１２】の、
「【課題を解決するための手段】
　請求項１の発明は、上記の目的を達成するために、電動ポンプの駆動によって導出路を通じ内容液を導出するようにした電動ポットにおいて、導出路の途中に押し下げ操作で開かれる常閉の弁と、器体の上面に押し下げ操作できるように設けられ、この押し下げ操作によって前記弁の上方に延びる弁棒を介し前記弁を開き操作する押し釦と、押し釦の押し下げに連動して前記弁が開いたときにオン操作され、前記弁が閉じるとオフ状態とされるポンプ駆動スイッチとを備えたことを特徴とするものである。」を、
「【課題を解決するための手段】
　請求項１の発明は、上記の目的を達成するために、電動ポンプの駆動によって導出路を通じ内容液を導出するようにした電動ポットにおいて、導出路の途中にて押し下げ操作で開かれる常閉の弁と、器体の肩部に形成した嘴状突出部の上面に押し下げ操作できるように設けられ、この押し下げ操作によって前記弁の上方に延びる弁棒を介し前記弁を開き操作するとともに押し下げ度合いに応じて開度調節する押し釦と、押し釦の押し下げにばねおよびレバーによって連動して前記弁が開いている間押し釦にオン操作され、前記弁が閉じるとオフ状態とされるポンプ駆動スイッチとを備え、前記常閉の弁およびポンプ駆動スイッチは前記肩部を含む嘴状突出部内に位置し、前記電動ポンプは導出路の前記弁よりも導出方向上流側の途中に位置することを特徴とするものである。」と訂正する。
（エ）発明の詳細な説明の段落【００１３】の
「このような構成では、導出路が常閉の弁によって常時閉じられており、不使用時にポットが転倒しても、内容液が導出路を通じて流出するようなことが確実に防止される。また、押し釦は器体の上面にあって、視認しやすく、かつ器体を不安定にすることなしに容易に押し下げ操作され、しかも、この押し下げ操作で前記弁をその上方へ延びる弁棒を介した同じ方向の動きをするものどうしの動作伝達によって、こじれなどなく、かつ、器体への導出路の配置構造による操作釦と弁との距離の違いに対応して、容易に開き操作し、また弁の開操作に連動してポンプ駆動スイッチをオン操作して内容液が導出されるようにすることができる上、」を、
「このような構成では、導出路が常閉の弁によって常時閉じられており、不使用時にポットが転倒しても、内容液が導出路を通じて流出するようなことが確実に防止される。また、押し釦は器体の肩部の嘴状突出部の上面にあって、視認しやすく、かつ器体を不安定にすることなしに容易に押し下げ操作され、しかも、この押し下げ操作で前記肩部を含む嘴状突出部内に位置する弁をその上方へ延びる弁棒を介した同じ方向の動きをするものどうしの動作伝達によって、こじれなどなく、かつ、器体への導出路の配置構造による操作釦と弁との距離の違いに対応して、容易に開き操作し、また弁の開操作に連動して前記肩部を含む嘴状突出部内にあるポンプ駆動スイッチをオン操作して内容液が導出路の前記弁よりも導出方向上流側の途中にある電動ポンプによって導出されるようにすることができる上、」と訂正する。
（オ）発明の詳細な説明の段落【００１５】の
「導出方向上流側にて分岐し」を、
「導出方向上流側で前記電動ポンプまでの位置にて分岐し」と訂正する。
（カ）発明の詳細な説明の段落【００１６】の
「開閉部分の上流側で分岐」を、「開閉部分の上流側で前記電動ポンプまでの位置にて分岐」と訂正する。
（キ）発明の詳細な説明の段落【００２２】の
「内容液導出方向下流側」を、「内容液導出方向上流側」と訂正する。
（ク）発明の詳細な説明の段落【００３１】の
「開閉部分の上流側で分岐」を、「開閉部分の上流側で前記電動ポンプまでの位置にて分岐」と訂正する。
（ケ）発明の詳細な説明の段落【００３６】の
「請求項１の発明によれば、導出路が常閉の弁によって常時閉じられており、不使用時にポットが転倒しても、内容液が導出路を通じて流出するようなことが確実に防止される。また、押し釦は器体の上面にあって、視認しやすく、かつ器体を不安定にすることなしに容易に押し下げ操作され、しかも、この押し下げ操作で前記弁をその上方へ延びる弁棒を介した同じ方向の動きをするものどうしの動作伝達によって、こじれなどなく、かつ、器体への導出路の配置構造による操作釦と弁との距離の違いに対応して、容易に開き操作し、また弁の開操作に連動してポンプ駆動スイッチをオン操作して内容液が導出されるようにすることができる上、」を、
「請求項１の発明によれば、導出路が常閉の弁によって常時閉じられており、不使用時にポットが転倒しても、内容液が導出路を通じて流出するようなことが確実に防止される。また、押し釦は器体の肩部の嘴状突出部の上面にあって、視認しやすく、かつ器体を不安定にすることなしに容易に押し下げ操作され、しかも、この押し下げ操作で前記肩部を含む嘴状突出部内に位置する弁をその上方へ延びる弁棒を介した同じ方向の動きをするものどうしの動作伝達によって、こじれなどなく、かつ、器体への導出路の配置構造による操作釦と弁との距離の違いに対応して、容易に開き操作し、また弁の開操作に連動して前記肩部を含む嘴状突出部内にあるポンプ駆動スイッチをオン操作して内容液が導出路の前記弁よりも導出方向上流側の途中にある電動ポンプによって導出されるようにすることができる上、」と訂正する。
（コ）発明の詳細な説明の段落【００３８】の
「導出方向上流側にて分岐し」を、
「導出方向上流側で前記電動ポンプまでの位置にて分岐し」と訂正する。
（５４）【発明の名称】
電動ポット
（５７）【特許請求の範囲】
　【請求項１】　電動ポンプの駆動によって導出路を通じ内容液を導出するようにした電動ポットにおいて、
　導出路の途中に
て
肩部に形成した嘴状突出部の
とともに押し下げ度合いに応じて開度調節する
ばねおよびレバーによって
開いている間押し釦に
、前記常閉の弁およびポンプ駆動スイッチは前記肩部を含む嘴状突出部内に位置し、前記電動ポンプは導出路の前記弁よりも導出方向上流側の途中に位置する
　【請求項２】　導出路の前記弁による開閉部分よりも導出方向上流側
で前記電動ポンプまでの位置
【発明の詳細な説明】
　【０００１】
　【発明の属する技術分野】
　本発明は電動ポンプによって導出路を通じ内容液を導出するようにした電動ポットに関するものである。
　【０００２】
　【従来の技術】
　内容液を導出する導出路を持ったポットでは、使用の有無や内容液の導出の有無に係わりなく、器体内は常に外部に通じている。これにより器体が転倒すると内容液は導出路を通じて自然に流出してしまう。内容液の導出の妨げにならないでこれを解消するのに、従来導出路の途中に、器体の転倒時に導出路を閉じるように自動的に働く弁を設けている。この弁は器体が正立状態にあるとき、自重で開いており、器体が転倒すると導出路を通じて流出しようとする内容液に押されて導出路を閉じるようにした、いわゆる転倒時止水弁が一般的である。
　【０００３】
　特開昭６３−２２９０１０号公報▲１▼、特開平１−１１０３１８号公報▲２▼、特開平２−１１１３２８号公報▲３▼は、そのような構造の電動ポットを開示している。
　【０００４】
　▲１▼に開示された電動ポットは１つの操作部材の操作で、電動ポンプをオン操作するのと同時に、電動ポンプのオンによって導出される内容液の導出流量を調節できるようにしている。
　【０００５】
　【発明が解決しようとする課題】
　しかし上記のような転倒時止水弁の閉止機能は万全でなく、器体が転倒したときの初期の止水が間に合わないことが多い。したがって転倒時に少しであるにしても熱湯が流出して危険であるし、回りを濡らしてしまうので、転倒時の止水の完全なものが望まれている。
　【０００６】
　一方、上記公報に開示の電動ポットは、導出する内容液が大半の場合熱湯であるので、思った導出流量に自由に調節して安全に導出できることも望まれるし、転倒時止水弁の機能不安を考えると、器体の安定を損なわずに、スムーズに内容液を導出できるのが好適である。
　【０００７】
　器体の安定のためにはキー操作によって電動ポンプを働かせるのが有利であり、圧力スイッチを用いると導出流量を調節することもできる。しかし、これでは特別な圧力スイッチと、この圧力スイッチの押圧度合いの違いを検出し、押圧度に応じた導出流量を設定する制御が必要になるので、比較的高価なものになる。
　【０００８】
　同時に、キー操作の感触と導出流量との関係が間接的に過ぎて、導出流量の設定状態が実感しにくく、導出流量が思いのほか少ないために初期給湯に時間が掛かり過ぎたり、思いのほか少ない導出流量を多くしようとして押圧力を強め過ぎて導出流量が急激に増大してびっくりし、あるいは危ない思いをすることが稀にある。
　【０００９】
　従って、導出流量の調節は開閉弁を操作して行うのが簡単で実感を持ちやすい利点がある。▲１▼の公報に開示のものはこれを満足している。
　【００１０】
　しかし、転倒時止水弁の機能不安は解消されていないし、導出流量の調節をするのに回動方式の操作ツマミを採用することにより、弁を開閉し、また開度調節するのに必要な操作ストロークを得ているので、簡単なタッチ操作にはならず操作が面倒で内容液の導出を瞬時に行えない不便がある。また、導出流量を小さくするように弁の開度を絞った場合を考えると、モータの回転数は変化しないので、最大流量で導出されよすとするのを無理に制限することになるので、流速が増してしまったり、流速が増さなければ圧力が上昇するし、双方が分担して増大することもあるので、内容液の導出に無理が生じる分だけ導出内容液が勢いよく飛びだしたり、スプラッシュ状態に噴き出したりする危険もある。さらに、▲１▼に開示の操作ツマミをタッチ式のものに代替するにしても、器体の上部前面に設けられていて、大きなストローク分をタッチ操作するのでは器体を転倒させてしまう不安がある。
　【００１１】
　そこで本発明は、内容液導出路に常閉の弁を設けて転倒時の止水の不安をなくすとともに、押し釦の操作で電動ポンプを駆動操作できるとともに前記弁を開度調節するように開き操作でき、しかも、操作が容易な電動ポットを提供することを目的とするものである。
　【００１２】
　【課題を解決するための手段】
　請求項１の発明は、上記の目的を達成するために、電動ポンプの駆動によって導出路を通じ内容液を導出するようにした電動ポットにおいて、導出路の途中に
て
肩部に形成した嘴状突出部の
とともに押し下げ度合いに応じて開度調節する
ばねおよびレバーによって
開いている間押し釦に
、前記常閉の弁およびポンプ駆動スイッチは前記肩部を含む嘴状突出部内に位置し、前記電動ポンプは導出路の前記弁よりも導出方向上流側の途中に位置する
　【００１３】
　このような構成では、導出路が常閉の弁によって常時閉じられており、不使用時にポットが転倒しても、内容液が導出路を通じて流出するようなことが確実に防止される。また、押し釦は器体の
肩部の嘴状突出部の
前記肩部を含む嘴状突出部内に位置する
前記肩部を含む嘴状突出部内にある
導出路の前記弁よりも導出方向上流側の途中にある電動ポンプによって
　【００１４】
　なお、弁が開くとポンプ駆動スイッチがオン操作されて内容液の導出が開始されるが、それ以降の押し釦の押し下げのストロークに応じて弁の開き度を大きくしていく開度調節もでき、内容液の導出流量を調節することができる。
　【００１５】
　請求項２の発明では、請求項１の発明において、さらに、導出路の前記弁による開閉部分よりも導出方向上流側
で前記電動ポンプまでの位置にて
　【００１６】
　このような構成では、請求項１の発明に加え、さらに、前記押し釦による押し下げ操作に際し前記弁を開度調節すると、導出路を所望の度合いに開いて内容液の導出流量を制限する一方、導出路の前記弁による開閉部分の上流側で分岐しているバイパス路をつうじた内容液の余剰分のポット内への戻しとによって、前記弁の開度調節のみで内容液の導出流量を無理無く的確に調節することができ、使用に便利であるとともに構造が特に複雑化することもない。
　【００１７】
　【発明の実施の形態】
　（第１の実施の形態）
　図１、図２に示す本発明の第１の実施の形態は、図に示すように外装ケース１内に内容器２を収容しポットの器体６を形成している。内容器２の底部下面にはヒータ３が添え付けられ、内容液を沸騰させ、また所定の保温温度に保つように適宜加熱するようになっている。４は温度センサ、５は温度センサによる温度情報をもとにヒータ３を通電制御する制御回路基板である。内容器２の底部には導出路７が接続されている。導出路７は内容器２と外装ケース１との間で立ち上がり、器体６の外装ケース１および内容器２の各口部を連結している肩部材８の嘴状突出部９の内側に達し、この位置にて吐出口１１が下向きに開口している。嘴状突出部９の下端開口を閉じる蓋板１２に前記吐出口１１から流出する内容液を一旦大気に開放して受入れ、静かに下方に案内する注液管１３が設けられている。
　【００１８】
　導出路７の内容器２よりも下位となっている部分に電動ポンプ１４が設けられ、導出路７に流入する内容液を導出路７を通じて導出する。導出路７の吐出口１１よりも少し上流側に弁室１６を設けてこれに弁１５を収容している。弁１５は上方に延びて導出路７から上方に突出する弁棒１７を有し、この弁棒１７は前記突出部を覆うバネ２６入りの蛇腹状シールパッキング２７と連結されて、導出路７からの液漏れを防止するとともに、弁１５を上動付勢して前記弁室１６の流出側の弁座１９を常時閉じるようにしている。
　【００１９】
　また弁棒１７の上端は器体６の上面、本第１の実施の形態では特に嘴状突出部９の上面に一部が露出するように設けられた押し釦１８とバネ１１９を介し連結され、押し釦１８の下動により前記弁１５がバネ２６に抗し開かれるようにしている。従って押し釦１８はバネ２６によって常時上動位置にあるように付勢され、上方からの押し下げ操作で簡易に押し下げ操作されるものであり、バネ１１９の介入による弾性的な動作伝達部を持ちながらも、無理な操作でないことを条件に押し釦１８の押し下げ度合いに応じた量だけ弁１４を弁座１９を閉じた状態から下方に押し開き、導出路７の開度を調節することができる。押し釦１８には操作レバー２２がピン２３によって上方への揺動が可能なように支持されており、バネ２４により押し釦１８に対して水平な下動位置に常時あるように付勢されている。これによって操作レバー２２は押し釦１８が上動位置に復帰しているときバネ２４に抗し水平姿勢のまま上動位置に保持され、ポンプ駆動スイッチ２５から離れている。したがってスイッチ２５はオフの状態を保ち電動ポンプ１４をオフの状態にしている。
　【００２０】
　押し釦１８が下動されると、この下動に操作レバー２２がバネ２４の付勢によって同動し、押し釦１８の下動初期にスイッチ２５を押動して駆動させ、この駆動操作により電動ポンプ１４が駆動されるようにする。
　【００２１】
　しかし押し釦１８はさらに下動操作可能であり、以後押し釦１８のさらなる下動による押し下げ度合いに応じて弁１５をさらに開いていくことにより、導出路７の開き度を自由に調節することができる。このとき操作レバー２２はスイッチ２５をオン操作した位置のままにあり、押し釦１８との相対移動は前記ピン２３を中心とした押し釦１８に対する上方への揺動により可能となる。
　【００２２】
　前記弁１５が導出路７を開閉する部分である弁座１９よりも内容液導出方向
上
　【００２３】
　なお器体６の上端には蓋３１が設けられている。蓋３１は後部が肩部材８の軸受部３２に軸３３によって開閉可能に枢支され、バネ４１によって開き方向に付勢されている。蓋３１の下面には内容器２の開口をシールパッキング３５を介して閉じる内蓋３４が設けられている。蓋３１の前部には蓋３１を閉じ状態にロックするロック部材３６と、このロック部材３６のロックを解除するロック解除部材３７と、ロック解除部材３７の不用意なロック解除操作を阻止する係止部材３８とが設けられている。蓋３１の内蓋３４の裏側には内容器２内で発生する蒸気を蓋３１外に逃がす蒸気抜き通路３９が設けられている。４０は蒸気抜き通路３９に設けられた弁である。
　【００２４】
　押し釦１８を押し下げると、弁１５が押し下げ度合いに応じて下動されて開弁されていき、導出路７を次第に開く。一方操作レバー２２は前記押し釦１８の下動に連動してその下動の初期に、ポンプ駆動スイッチ２５をオンする。したがって弁１５の開き動作とともに電動ポンプ１４が駆動され、特別な操作を行わないで常閉の弁１５が邪魔になるようなことなく、内容液の導出路を通じた導出が行われる。特に押し釦１８をさらに押し下げていくと、操作レバー２２によるスイッチ２５のオン状態を保ちつつ、弁１５の開き度を増していけるので、電動ポンプ１４による内容液の導出を継続しながら導出路７の通路断面積を大きくしていくことができ、流量が増大するように調節することができる。
　【００２５】
　この流量調節において弁１５の開度が小さいとき、導出路７の弁座１９部の通路抵抗が大きくなるが、弁座１９の上流側にある前記バイパス路２１が過剰の内容液を内容器２内に逃がし戻すので、導出内容液の導出流速が増大したり、圧力が増大したりして、導出内容液が勢いよく流出したり、スプラッシュ状態のように噴き出したりするような危険なく、前記弁１５の開度調節に応じた流量での内容液の導出が無理なく的確に達成される。また、押し釦１８の押し下げ操作による弁１５の開度調節とこれによる導出流量の調節は機械的な連動により、必要かつ十分な操作ストロークのもとに、しかも、調節度合いの実感を持って思い通りに適正に行える。
　【００２６】
　押し釦１８の押し下げを解除すると、押し釦１８は弁１５とともにバネ２６の付勢によって上動位置に復帰され、弁１５を閉じる。またこの弁１５の閉じ動作に連動して操作レバー２２はバネ２４の付勢に抗して上動復帰され、ポンプ駆動スイッチ２５をオフにするので、内容液の導出は停止する。また弁１５は常閉状態に復帰するので、以後ポットが転倒するようなことがあっても、内容液が導出路７を通じて自然に流出するようなことを回避することができる。
　【００２７】
　要するに、本第１の実施の形態では、導出路７が常閉の弁１５によって常時閉じられており、不使用時にポットが転倒しても内容液が導出路７を通じて流出するようなことが確実に解消される。
　【００２８】
　そして上動位置に付勢された押し釦１８を押し下げ操作することによって電動ポンプ１４を駆動操作するとともに前記常閉の弁１５を開き操作して導出路７を開き、電動ポンプ１４による内容液の導出路７を通じた導出を特別な操作を行わないで達成することができる。
　【００２９】
　特に、前記押し釦１８の押し下げ操作に際し押し下げ量を調節すると、弁１５をこの押し下げ度合いに応じて開度調節して導出路７を所望の度合いに開き内容液の導出流量を、押し釦１８の押し下げ度合いに応じた操作抵抗の増大による実感通りに調節することができ、所望の導出流量を得ることができる。
　【００３０】
　また、押し釦１８を押し下げ操作するのに、押し釦１８が器体６の上面に位置するので、押し下げ操作が簡易な押し下げ操作で行うことができ、操作の容易性および的確性を確保することができる。
　【００３１】
　さらに、前記押し釦１８による押し下げ操作に際し弁１５を開度調節すると、導出路７を所望の度合いに開いて内容液の導出流量を制限する一方、導出路７の弁１５による開閉部分の上流側で分岐しているバイパス路２１をつうじた内容液の余剰分のポット内への戻しとによって、弁１５の開度調節のみで内容液の導出流量を無理無く的確に調節することができ、使用に便利であるとともに構造が特に複雑化することもない。
　【００３２】
　（第２の実施の形態）
　図３に示す本発明の第２の実施の形態は、弁１５を下動付勢して、弁室１６の流入側の弁座４２を常時閉じ、図示しない操作部材の操作によって弁１５が上動されて導出路７が開かれるとともに、ポンプ駆動スイッチがオンされるようにしてある。
　【００３３】
　したがってバイパス路２１は前記弁座４２の上流側にて導出路７から分岐するようにされている。その他の構造および作用は前記第１の実施の形態の場合と変わらないので説明は省略する。
　【００３４】
　（第３の実施の形態）
　図４に示す本発明の第３の実施の形態は、第１の実施の形態における押し釦１８と、操作レバー２２との組合せ構造とバネ１１９の働かせ方を変更している。図に示すように、操作レバー２２はその基部を押し釦１８内に枢支し、操作レバー２２は押し釦１８から突出してポンプ駆動スイッチ２５と対向し、押し釦１８内で押し釦１８と操作レバー２２との間に働かされたバネ５１の付勢によって、押し釦１８に対する水平な最下動位置にあるようにされている。これによって押し釦１８の下動初期に、操作レバー２２はポンプ駆動スイッチ２５に当接し、バネ５１の力によってスイッチ２５をオンさせるが、押し釦１８がそれ以上下動されて弁１５の開き度を大きくしていくとき、操作レバー２２はバネ５１の付勢に抗して押し釦１８に対し上方に回動されてスイッチ２５のオン状態を無理なく保持する。
　【００３５】
　押し釦１８には安全ストッパ５２が働かされている。安全ストッパ５２は押し釦１８のまわりに回動可能であり、この回動によってストッパ部５２ａを押し釦１８の周壁のスリット１８ａから外れた係止段部１８ｂに対向するロック位置と、前記スリット１８ａに対向するロック解除位置との間で下動なようにされている。これによりロック位置では押し釦１８はその係止段部１８ｂがストッパ部５２ａに当接して下動を阻止されるので、導出操作が不能である。またロック解除位置では、押し釦１８はスリット１８ａがストッパ部５２ａに対向していて、下動を妨げられないので、導出操作可能となる。
　【００３６】
　【発明の効果】
　請求項１の発明によれば、導出路が常閉の弁によって常時閉じられており、不使用時にポットが転倒しても、内容液が導出路を通じて流出するようなことが確実に防止される。また、押し釦は器体の
肩部の嘴状突出部の
前記肩部を含む嘴状突出部内に位置する
前記肩部を含む嘴状突出部内にある
導出路の前記弁よりも導出方向上流側の途中にある電動ポンプによって
　【００３７】
　特に、前記弁をこの押し下げ度合いに応じて開度調節して導出路を所望の度合いに開き内容液の導出流量を、押し釦の押し下げ度合いに応じて調節することができ、所望の導出流量を得ることができる。また、押し釦を押し下げ操作するのに、押し釦が器体の上面に位置するので、押し下げ操作が器体が転倒するような不安なく簡易な押し下げ操作で行うことができ、操作の容易性および的確性を確保することができる。
　【００３８】
　請求項２の発明によれば、請求項１の発明に加え、さらに、前記押し釦による押し下げ操作に際し前記弁を開度調節すると、導出路を所望の度合いに開いて内容液の導出流量を制限する一方、導出路の前記弁による開閉部分の上流側で分岐しているバイパス路をつうじた内容液の余剰分のポット内への戻しとによって、前記弁の開度調節のみで内容液の導出流量を無理無く的確に調節することができ、使用に便利であるとともに構造が特に複雑化することもない。
【図面の簡単な説明】
　【図１】
　本発明の第１の実施の形態を示す電気ポットの上部の断面図である。
　【図２】
　本発明の第１の実施の形態を示す電気ポットの下部の断面図である。
　【図３】
　本発明の第２の実施の形態を示す電気ポットの要部の拡大断面図である。
　【図４】
　本発明の第３の実施の形態を示す電気ポットの要部の拡大断面図である。
　【符号の説明】
　７　導出路
　１４　電動ポンプ
　１５　弁
　１８　押し釦
　２１　バイパス路
　２２　操作レバー
　２５　ポンプ駆動スイッチ
　２６　バネ